(57)【要約】【課題】オットマンにおける足裏を載せる部分を踏みつけてしまっても椅子が不用意に動いたりすることがないものとする。【解決手段】  座部１を有する椅子と、座部２の前端に回動自在に連結された支持フレーム２１と、この支持フレーム２１にスライド自在に装着されたオットマン４とを備えるとともに、該オットマン４が人体の足裏を支える支持部４２をその端部に備えたものである。オットマン４における床面との接地点を椅子から遠ざける方向にずらして上記接地点から上記支持部先端までの水平距離Ｌ１を座部と支持フレームとの回動連結点から接地点までの水平距離Ｌ２以下に保つ突部４４をオットマンの底部に備える。接地点がずらされていることで、座部２とオットマン４側との回動連結点２０を持ち上げる力が作用しにくくなる。【選択図】図１
2006204765.tif 000002
【特許請求の範囲】
【請求項１】
座部を有する椅子と、座部の前端に回動自在に連結された支持フレームと、この支持フレームにスライド自在に装着されたオットマンとを備えるとともに、該オットマンが人体の足裏を支える支持部をその端部に備えた椅子式マッサージ機において、オットマンにおける床面との接地点を椅子から遠ざける方向にずらして上記接地点から上記支持部先端までの水平距離Ｌ１を座部と支持フレームとの回動連結点から接地点までの水平距離Ｌ２以下に保つ突部をオットマンの底部に設けていることを特徴とする椅子式マッサージ機。
【請求項２】
上記突部は弾性体で形成されていることを特徴とする請求項１記載の椅子式マッサージ機。
【発明の詳細な説明】
【技術分野】
【０００１】
本発明は、オットマンが付属する椅子式マッサージ機に関するものである。
【背景技術】
【０００２】
従来から座部の前端に足載せ用のオットマンを回動自在に連結した椅子式マッサージ機が提供されているが、上記オットマンが足裏を載せる部分を有している場合、オットマンを回動させて足先側を高くした時、膝や下腿部がオットマンから浮き上がってしまうために、下肢をリラックス状態にできない上に、オットマンにマッサージ手段を設けたものでは下肢へのマッサージ手段によるマッサージを効果的に行えなくなる。
【０００３】
このために、オットマンにおける足裏を載せる部分をオットマンの回動時に常にほぼ水平状態を保つようにしたものや、特開２００４−２０１９１６号公報（特許文献１）に示されているように、座部に回動自在に連結された支持フレームを設けて、この支持フレームにオットマンをスライド自在に装着したものが提供されている。
【０００４】
前者の場合は、オットマンを回動させて水平近くまで上げた時にも、オットマンから下肢が浮き上がることがないようにできるが、オットマンに設けたマッサージ手段と下肢とがずれてしまう上に、足裏へのマッサージができないものとなる。
【０００５】
後者であれば、マッサージ手段と下肢とがずれてしまうこともなく、また足裏用のマッサージ手段を設けたものでは足裏へのマッサージをオットマンの回動角度に関係なく行うことができるが、オットマンをスライドさせて引き出した状態のままでオットマンを降ろす方向に回動させた場合、座部の高さの関係からオットマンが床面に接地してしまう。
【０００６】
この時、図２に示すように、オットマン４がある傾きを有して上記接地点が椅子１に近い時、オットマン４における足裏を載せる部分４２に体重Ｗをかけると、座部２とオットマン４（支持フレーム２１）との回動連結点２０を持ち上げることになる力Ｆが作用するとともに、上記体重Ｗが椅子１の重さ（マッサージ機構が組み込まれていることからほぼ８０ｋｇ）とほぼ同じであったり重かったりした場合、図２(b)に示すように上記回動連結点２０が持ち上げられることになる。
【０００７】
上記の動きは、椅子１側の接地部の動きを伴うために、この接地部に滑り止め部材２６を貼り付けておくことで、持ち上がりにくくすることができるが、床面の摩擦係数が低い場合など、それでも図２(b)に示す動きが生じることがある。
【特許文献１】特開２００４−２０１９１６号公報
【発明の開示】
【発明が解決しようとする課題】
【０００８】
本発明は上記の従来の問題点に鑑みて発明したものであって、オットマンにおける足裏を載せる部分を踏みつけてしまっても椅子が不用意に動いたりすることがない椅子式マッサージ機を提供することを課題とするものである。
【課題を解決するための手段】
【０００９】
上記課題を解決するために本発明に係る椅子式マッサージ機は、座部を有する椅子と、座部の前端に回動自在に連結された支持フレームと、この支持フレームにスライド自在に装着されたオットマンとを備えるとともに、該オットマンが人体の足裏を支える支持部をその端部に備えたものにおいて、オットマンにおける床面との接地点を椅子から遠ざける方向にずらして上記接地点から上記支持部先端までの水平距離Ｌ１を座部と支持フレームとの回動連結点から接地点までの水平距離Ｌ２以下に保つ突部をオットマンの底部に設けていることに特徴を有している。接地点がずらされていることで、座部とオットマン側との回動連結点を持ち上げる力が作用しにくくなるようにしたものである。
【００１０】
上記突部は弾性体で形成されていることが好ましい。荷重が加わった時に弾性変形によって接地面積が広がるために、上記の持ち上げる力が作用しにくくなるものである。
【発明の効果】
【００１１】
本発明は、オットマンの足裏を支持する支持部の先端を踏んだ場合にも、オットマンの接地点を支点としてオットマン側と座部との回動連結点を持ち上げようとする力がさほど大きくならないために、上記回動連結点が持ち上がってしまうようなことがないものである。
【発明を実施するための最良の形態】
【００１２】
以下、本発明を添付図面に示す実施形態に基いて説明すると、図示例の椅子式マッサージ機は、座部２とマッサージ機構が組み込まれた背もたれ３とを有する椅子１における座部２の前端部に、支持フレーム２１を回動自在に連結するとともに、この支持フレーム２１にオットマン４をスライド自在に装着したもので、上記支持フレーム２１は椅子１側との間に設けられた伸縮式アクチュエータ（図示せず）による駆動で回動を行う。
【００１３】
支持フレーム２１と共に回動することになるオットマン４は、使用者のふくらはぎを支えることになる支持部４１と、使用者の足裏を支えることになる支持部４２とを備えたもので、これら支持部４１，４２には夫々エアポンプに接続されて膨張収縮することでふくらはぎや足裏に対してマッサージを行う空気袋（図示せず）が配設されているとともに、これらの外面を覆うカバー４０を備えたものとなっている。
【００１４】
合成樹脂などで形成された剛性を有している上記カバー４０における底面には、突部４４が設けられている。カバー４０底面における椅子１側の角部に設けられた上記突部４４は、オットマン４における床面との接地点を椅子１から遠くなる方にずらすためのもので、支持フレーム２１に対してオットマン４を少しだけ引き出した状態でカバー４０を接地させた時、本来ならば、座部２と支持フレーム２１との回動連結点２０からカバー４０における接地点までの水平距離をＬ２、カバー４０における接地点から上記支持部４２の先端までの水平距離をＬ１とする時、Ｌ１＞Ｌ２となるために、支持部４２の先端に体重Ｗを加えた場合、てこ比の関係で上記回動連結点２０が持ち上げられてしまうのに対して、上記突部４４は床面との接地点を椅子１から遠ざけて、支持部４２の先端側にずらすために、上記Ｌ１とＬ２とがほぼ等しい値、もしくはＬ１＜Ｌ２となるものであり、椅子側の重量にもよるものの、突部４４を設けていない場合に比して、回動連結点２０が持ち上げられてしまうことが殆ど無いものとなる。
【００１５】
なお、オットマン４を支持フレーム２１に対してかなり引き出している状態では、カバー４０が接地する時は図中の角度αが大きく、上記Ｌ１，Ｌ２の値が元々Ｌ１＜Ｌ２であるために、突部４４が機能しなくてもよい。
【００１６】
また、ここでは突部４４を弾性体で形成するとともに、加重が加わった時の弾性変形で突部４４における接地面が椅子１から遠ざかる方向において、線接触もしくは複数箇所で接地するような形状とすることで、より安定した状態を保つことができるようにしている。
【図面の簡単な説明】
【００１７】
【図１】本発明の実施形態の一例の概略断面図である。
【図２】従来例を示すもので、(a)は概略断面図、(b)は動作説明図である。
【符号の説明】
【００１８】
１  椅子
２  座部
３  背もたれ
４  オットマン
２０  回動連結点
４４  突部
【図１】
2006204765.tif 000003
【図２】
2006204765.tif 000004